(57)【要約】【課題】  紐状体の取り付け作業全般に適用することが可能な紐状体取付装置の提供を目的としている。  【解決手段】  支持棹２０と、支持棹２０の先端部に取り付けられ、紐状体Ｚを保持可能に形成されたヘッド部３０と、支持棹２０と並行に配置され、支持棹２０に保持されている締結部４０とにより構成され、紐状体Ｚを取付対象物に取り付けする紐状体取付装置であって、ヘッド部３０には、取付対象物が進入可能に形成された進入口３１と、進入口３１の開口部分に紐状体Ｚをかけ渡して一時保持すると共に、進入口側に回動自在に形成された紐状体保持部３２が配設され、締結部４０には、支持棹２０の延出方向に移動自在であり、かつ、移動方向を中心として回転自在な巻き付け手段４８が形成されていることを特徴とする紐状体取付装置１０である。【選択図】        図１
2005137222.tif 000002
【特許請求の範囲】
【請求項１】
支持棹と、
前記支持棹の先端部に取り付けられ、紐状体を保持可能に形成されたヘッド部と、
前記支持棹と並行に配置され、前記支持棹に保持されている締結部とにより構成され、紐状体を取付対象物に取り付けする紐状体取付装置であって、
前記ヘッド部には、前記取付対象物が進入可能に形成された進入口と、当該進入口の開口部分に前記紐状体をかけ渡して一時保持すると共に、前記進入口側に回動自在に形成された紐状体保持部が配設され、
前記締結部には、前記支持棹の延出方向に移動自在であり、かつ、当該移動方向を中心として回転自在な巻き付け手段が形成されていることを特徴とする紐状体取付装置。
【請求項２】
前記紐状体保持部は、前記紐状体を締結した後、当該紐状体が離脱可能に形成されていることを特徴とする請求項１記載の紐状体取付装置。
【請求項３】
前記紐状体保持部には、弾性部材により形成され、前記締結部側に開口部を有する保持管が配設されていることを特徴とする請求項１または２に記載の紐状体取付装置。
【請求項４】
前記紐状体保持部には、当該紐状体保持部よりも前記巻きつけ手段側に延出し、前記取付対象物に当接させて前記紐状体保持部を前記侵入口側に回動させるための作動棒が配設されていることを特徴とする請求項１〜３のうちのいずれか一項に記載の紐状体取付装置。
【請求項５】
前記作動棒は左右非対称に設けられていることを特徴とする請求項４記載の紐状体取付装置。
【請求項６】
前記ヘッド部には、前記紐状体保持部が回動した後、当該紐状体保持部が初期状態に戻る方向に付勢する付勢手段と、前期紐状体保持部が回動する角度を規制するストッパが配設されていることを特徴とする請求項１〜５のうちのいずれか１項に記載の紐状体取付装置。
【発明の詳細な説明】
【技術分野】
【０００１】
本発明は、紐状体取付装置に関し、より詳細には、高所等の直接手が届かない場所であっても紐状体を取り付けすることが可能な紐状体取付装置に関する。
【背景技術】
【０００２】
近年においては、消費者の健康志向の高まりから、作物における農薬の使用量削減が望まれている。しかしながら、農薬を用いないと害虫が作物に付き、害虫による被害が発生する。
そこで、農薬を使用せずに害虫を防除する方法として、害虫が発する性フェロモンを利用して、害虫の交尾をかく乱し、害虫による被害を無くそうとする試みがなされている。例えば非特許文献１には、梨に取り付く害虫の性フェロモンを利用し、殺虫剤の使用量を半減させながらも、慣行の薬剤防除とほぼ同等の防除効果が得られている例が開示されている。
【非特許文献１】辻雅人、“性フェロモン剤のナシ害虫防除への利用”、“果試ニュースＮｏ．９２”、 [online]、２００１年７月、徳島県立農林水産総合技術センタ−、[平成１５年１０月２７日検索]、インターネット＜ＵＲＬ ：http://www.green.pref.tokushima.jp/kaju/news/news92/news_92.htm＞
【発明の開示】
【発明が解決しようとする課題】
【０００３】
現在広く用いられてきている性フェロモン剤は、内部に針金を配した合成樹脂製の紐状の材料に害虫の性フェロモンを担持させているものが多い。このような性フェロモン剤は作物の樹木の枝に巻きつけるようにして取り付けている。農園には何百本と樹木が植えられていることから、これらの樹木に紐状の性フェロモン剤を取り付けることは非常に労力のかかる作業となる。
作物の樹木高さが低い場合であっても性フェロモン剤を取り付ける作業は広範囲になされるので労力を要し、りんご等の高木に性フェロモン剤を取り付けるとなると、脚立を昇降して取り付けることから、非常に手間がかかり、作業に伴う労力および危険が大幅に高くなるといった課題がある。
【０００４】
本発明は、紐状の性フェロモン剤を取り付けする作業において、りんご等の高い樹木の作物であっても、脚立を用いずに性フェロモン剤を簡単に取り付けすることが可能とする紐状体取付装置を提供することを目的とする。
なお、本発明は、紐状の性フェロモン剤の取り付けにのみ使用されるものではなく、紐状体の取り付け作業全般に適用することが可能な紐状体取付装置の提供を目的としている。
【課題を解決するための手段】
【０００５】
以上の目的を達成するべく、本発明は以下の構成を備える。
すなわち、支持棹と、前記支持棹の先端部に取り付けられ、紐状体を保持可能に形成されたヘッド部と、前記支持棹と並行に配置され、前記支持棹に保持されている締結部とにより構成され、紐状体を取付対象物に取り付けする紐状体取付装置であって、前記ヘッド部には、前記取付対象物が進入可能に形成された進入口と、当該進入口の開口部分に前記紐状体をかけ渡して一時保持すると共に、前記進入口側に回動自在に形成された紐状体保持部が配設され、前記締結部には、前記支持棹の延出方向に移動自在であり、かつ、当該移動方向を中心として回転自在な巻き付け手段が形成されていることを特徴とする紐状体取付装置である。
【０００６】
また、前記紐状体保持部は、前記紐状体を締結した後、当該紐状体が離脱可能に形成されていることを特徴とする。
さらに、前記紐状体保持部には、弾性部材により形成され、前記締結部側に開口部を有する保持管が配設されていることを特徴とする。
これらにより、紐状体を取付対象物に取付するまでは紐状体を落下させることなく保持することができ、取付対象物に紐状体が巻き付けられた後は、取付装置から紐状体を簡単に離脱させることができるので、直接手の届かない場所においても紐状体を取付対象物に取り付けした後、直ちに次の対象物に紐状体の取付作業に取り掛かることができる。
【０００７】
また、前記紐状体保持部には、当該紐状体保持部よりも前記巻きつけ手段側に延出し、前記取付対象物に当接させて前記紐状体保持部を前記侵入口側に回動させるための作動棒が配設されていることを特徴とする。これにより、取付対象物が進入口に進入する際に前もって紐状体支持部を回動させることができるので、確実に紐状体が進入口の奥側に位置され、取付対象物が進入口に進入した後に紐状体と当接して取り付けられるため、円滑な取り付け作業が可能になる。
また、前記作動棒は左右非対称に設けられていることを特徴とする。これにより、紐状体保持部の回動動作を円滑にすることができる。
【０００８】
また、前記ヘッド部には、前記紐状体保持部が回動した後、当該紐状体保持部が初期状態に戻る方向に付勢する付勢手段と、前期紐状体保持部が回動する角度を規制するストッパが配設されていることを特徴とする。これにより、回動した紐状体保持部が自動的に初期位置にイニシャライズされるので、次の紐状体の装着を迅速に行うことができ、作業時間の短縮が可能になる。
【発明の効果】
【０００９】
本発明に係る紐状体取付装置を採用することにより、直接手の届かないような物品であっても、脚立等を昇降することなく、安全にしかも簡単に紐状体を取り付けすることが可能になる。
具体例として、従来では高い樹木においては脚立を用いての作業が必要であった施工条件であっても、地上にいながらにして性フェロモン剤を樹木等に取り付けることができるため作業上の安全性を高めることができる。
また、性フェロモン剤の取り付け作業に要する労力を大幅に軽減することができるので、低農薬栽培の作物であっても、生産コストを大幅に上昇させることなく慣行栽培による作物と同様の品質を確保することが可能になる。
【発明を実施するための最良の形態】
【００１０】
以下、本発明の好適な実施の形態について添付図面を参照しながら詳細に説明する。図１は本実施の形態における紐状体取り付け装置の正面図である。図２は、紐状体が装着されていない状態におけるヘッド部近傍の側面図を示している。図３は、図１中のＡ−Ａ線における断面図である。
本実施の形態における紐状体取付装置１０は、支持棹２０と支持棹２０の先端に取り付けられたヘッド部３０と、支持棹２０に取り付けられ、支持棹２０と並行に離間する締結部４０とにより構成されている。
【００１１】
支持棹２０は、ヘッド部３０および締結部４０が取り付けられている第１の支持棹２２と、第１の支持棹２２に並行して取り付けられている第２の支持棹２４とにより構成されている。第２の支持棹２４の下端部分は、第２の支持棹２４よりも若干小径の延長棹２６が取付可能に形成されている。延長棹２６は紐状体を取り付ける対象物の高さにより適宜の長さのものが用いられる。なお、延長棹２６をスライド式にして、長さを段階的に調整することが可能な構造のものを用いてもよい。
【００１２】
支持棹２０の先端には、ヘッド部３０が取り付けられている。ヘッド部３０には、紐状体取付対象物を進入させるための進入口３１が形成されている。図１に示されている進入口３１は三角形状に形成されているが、紐状体取付対象物が進入可能であれば、円弧状や矩形状に形成された進入口３１であっても良い。
【００１３】
進入口３１の両側の稜線部分から進入口３１開口部分の中心に向かって、紐状体保持部３２が延出している。紐状体保持部３２には、紐状体Ｚを挿通させ、一時的に保持する保持管３３が取り付けられている。紐状体保持部３２は、ヘッド部３０に取り付けられた固定片３４にピン止めされていて、進入口３１の奥行き方向に回動自在に設けられている。保持管３３はゴムやビニール等の弾性材からなり、図３に示すように下方側に開口部３３ａが形成されている。保持管３３には、紐状体Ｚが挿通されている。紐状体Ｚは、紐状体取付対象物に取り付けられると、保持管３３の開口部３３ａが弾性変形することにより開口部３３ａの隙間が広がり、保持管３３から離脱する。このように保持管３３が弾性変形するので、開口部３３ａの代わりにすり割りを形成しておく形態であっても良い。
また、保持管３３のそれぞれの先端部どうしは離間していて、一部分において紐状体Ｚが現れている。保持管３３は略同一直線上に配設されていて、紐状体Ｚは容易に挿通される。
【００１４】
紐状体保持部３２とヘッド部３０には、一端側を紐状体保持部３２に、他端側をヘッド部３０にそれぞれ係止した付勢手段であるバネ３５が配設されている。バネ３５は、紐状体保持部３２がヘッド部３０の上部方向に回動した後、紐状体保持部３２が元の位置に戻る方向に付勢している。
ヘッド部３０には、バネ３５の付勢力に抗し、紐状体保持部３２の支持棹２０に対する角度が略直角となる位置に紐状体保持部３２を位置決めするストッパ３６が固定されている。
【００１５】
また、紐状体保持部３２には、紐状体取付対象物が進入口３１に進入する際に当接して、紐状体保持部３２を回動させる作動棒３８がそれぞれ取り付けられている。作動棒３８は紐状体保持部３２の上面側に取り付けられていて、支持棹２０側の作動棒３８ａは、進入口３１の開口部３１ａの中央側へ向けて斜めに伸びている。また、他方の作動棒３８ｂは、進入口３１の開口部３１ａの中央部近傍までは対向する作動棒３８ａと同様に、開口部３１ａの中央側に向けて斜めに延出した後、屈曲し、傾斜を緩やかにしながら支持棹２０部分まで伸びている。このように、それぞれの作動棒３８ａ、３８ｂの形状は左右非対称に形成されている。
なお、作動棒３８ａ、３８ｂは、それぞれ紐状体保持部３２よりも下方側まで延出している。
【００１６】
支持棹２０には、支持棹２０の延長方向と並行する締結部４０が取付ステー４２を介して取り付けられている。締結部４０は、取付ステー４２に固定され、筒状に形成された保持部４４と、保持部４４の中空部分に挿通され、支持棹２０の延長方向と同じ方向に移動自在に配設されたハンドル４６と、ハンドル４６の先端に取り付けられた巻き付け手段４８とにより構成されている。ハンドル４６の手元部分はクランク状に形成されている。
巻き付け手段４８は、断面形状がＵ字型となるように板材をプレス加工して形成している。このようにして形成された巻き付け手段４８は、Ｕ字部分の底部をハンドル４６に固定することにより取り付けられている。
【００１７】
以上に説明した紐状体取付装置１０を用いて、針金の芯材に性フェロモンを含浸させた合成樹脂を被覆してなる紐状の性フェロモンかく乱剤を、りんごの木に取り付ける方法について説明する。
図４〜図６は、りんごの木に紐状の性フェロモンかく乱剤Ｋ（以下、単にかく乱剤という）を取り付ける作業工程を示す説明図である。
【００１８】
まず、図４に示すように、かく乱剤Ｋを紐状体保持部３２の保持管３３に挿通させる。紐状体取付対象物であるりんごの木の枝Ｂを紐状体取付装置１０の支持棹２０の側面に当接させる。かく乱剤Ｋを取り付ける枝Ｂは進入口３１の奥行き寸法よりも小径のものを選ぶが、あまりに小径過ぎる枝は紐状体の取付が困難になるので避けるのが好ましい。
次に、枝Ｂに紐状体取付装置１０の支持棹２０の側面に当接させつつ、紐状体取付装置１０を押し下げて、枝Ｂを進入口３１へ進入させる。
【００１９】
枝Ｂは進入口３１に進入する前に、作動棒３８に当接する。先述のとおり、作動棒３８は左右非対称に形成されていて、支持棹２０に接近する側の作動棒３８ｂが支持棹２０に対し、直角方向からわずかに傾斜している。したがって、枝Ｂを支持棹２０の側面に当接させた状態で紐状体取付装置１０を押し下げると、枝Ｂが進入口３１に進入する直前に、作動棒３８ｂに滑らかに接触し、他の作動棒３８ａとともに上方に押し上がるように回動することになる。作動棒３８は、紐状体保持部３２に固定して取り付けられているので、紐状体保持部３２も上方に跳ね上がる状態に回動する（図５）。
【００２０】
図５は、枝Ｂを進入口３１に進入させた状態を示す正面図である。このように紐状体保持部３２が上方側に跳ね上がると、紐状体保持部３２に固定して取り付けられている保持管３３も上方側に回動することになる。一方、保持管３３に挿通されているだけのかく乱剤Ｋは、慣性の法則により図４に示した状態を維持しようとする。
このように、保持管３３は上方側に跳ね上がろうとし、保持管３３の内部にあるかく乱剤Ｋは現在位置にとどまろうとする状態になる。しかしながら、保持管３３の下部には開口部３３ａが形成されているので、保持管３３が上方に回動することにより、かく乱剤Ｋが開口部３３ａを弾性変形させて開口部分を広げることになる。枝Ｂが進入口３１の奥行き方向にさらに進入すれば、なおも保持管３３は紐状体保持部３２と共に上方側に回動することになる。すると、かく乱剤Ｋの一部が開口部３３ａから保持管３３の外に離脱することになる。このようにして保持管３３から離脱したかく乱剤Ｋの一部は下方から進入してくる枝Ｂに当接し、弾性変形することにより枝Ｂの外周面に沿って巻き付けられることになる。また、かく乱剤Ｋの両端部分は下方側に垂れ下がった状態になる。
なお、紐状体保持部３２が上方側に回動した状態においては、ヘッド部３０と紐状体保持部３２に両端が係止されているバネ３５により、紐状体保持部３２を元の位置に戻す方向に作用する付勢力と、紐状体取付装置１０をユーザが押し下げる力とがつりあっている。
【００２１】
次に、締結部４０のハンドル４６を上方に押し上げ、巻き付け手段４８をヘッド部３０側に接近させ、かく乱剤Ｋの端部を係止する。巻き付け手段４８にかく乱剤Ｋが係止された後、ハンドル４６を回転させて、かく乱剤Ｋの端部近傍どうしを互いに重ね合わせながらねじれば、枝Ｂにかく乱剤Ｋが巻き付けられる。枝Ｂへのかく乱剤Ｋの巻き付け強さは、ハンドル４６の回転数を調整することにより任意の強さに設定可能である。枝Ｂにかく乱剤Ｋが巻き付けられたら、枝Ｂを進入口３１から出すように紐状体取付装置１０を上方に移動させる。
【００２２】
図６は、かく乱剤が巻き付けられた枝Ｂを進入口から出した状態を示す正面図である。
枝Ｂが進入口３１から取り出されると、作動棒３８により紐状体保持部３２が上方に押し上げられることがなくなるので、バネ３５による付勢力と釣り合っていた力が解放される。すなわち、バネ３５の付勢力により紐状体保持部３２が図６の状態に戻る。本実施の形態においては、バネ３５の付勢力が強すぎた場合であっても、紐状体保持部３２が支持棹２０に対して略直角な当初位置となるように配設されたストッパ３６により、必ず図６の状態にもどすことができる。
以上に説明したかく乱剤Ｋは、非特許文献１にも記載されているように、１０ａ当たり１５０〜１８０本を棚面や枝に巻き付ける作業が必要であって、かく乱剤Ｋの効果的な使用には１ｈａ以上に取り付けすることが好ましいとされている。このため、紐状体保持部３２のイニシャライズをする必要がなくなることによる枝一本あたりの作業時間の短縮は、累計すればかなりの時間短縮になり、脚立を使用しなくて済むことと相まって作業負荷を軽減することができる。
【００２３】
本実施の形態においては、巻き付け手段をＵ字状に形成した板材を用いているが、図７に示すように、複数本の線材を屈曲させて端部をヘッド部方向に立設させたブラシ形状の巻き付け手段とすれば、さらに確実に紐状体の端部を巻き付けることができるため好適である。
また、進入口の形状を三角形状としているが、紐状体の取付対象物が進入することができれば、三角形状に限定されず、円形や楕円形、矩形等の他の形状であっても良いのはもちろんである。
さらに、本実施の形態においては、紐状体保持部を元に戻すための付勢手段にバネを用いているが、付勢手段はバネに限定されるものではなく、ゴム板やゴムひも等の弾性部材を適用することも可能である。
【００２４】
さらにまた、本実施の形態においては、かく乱剤の取り付け対象物をりんごの木としているが、このようなかく乱剤は農作物に特に好適に適用することができ、りんごの他にも桃や、梨等といった果実や、ねぎやキャベツ等の樹木によって栽培されない農作物、長芋やジャガイモのような地中にできる作物、バラ等の花き類であっても、作物の付近に設置した支柱等に取り付けることにより適用することができる。また、ビニールハウス内で骨組材にかく乱物質を取り付けて使用すれば、かく乱物質がビニールハウス内で充満するので、かく乱物質の使用量を節約することができ、コストを低減させることができる他、より効果的に使用することも可能である。
【００２５】
また、本願発明に関する紐状体取付装置について、紐状に形成された性フェロモンによる害虫のかく乱剤をりんごの木に取り付ける例に基づいて、詳細に説明をしてきたが、上記の実施の形態に限定されるものではない。例えば、高いところに陳列してある商品等に荷札を取り付けるために用いる等といった、紐状体を対象物に巻き付けることにより取り付けをする装置であれば、害虫防除以外の用途であっても本願発明の技術的範囲に属するのはもちろんである。
【図面の簡単な説明】
【００２６】
【図１】本実施の形態における紐状体取り付け装置の正面図である。
【図２】紐状体が装着されていない状態におけるヘッド部近傍の側面図である。
【図３】図１中のＡ−Ａ線における断面図である。
【図４】かく乱剤を紐状体保持部の保持管に挿通した状態を示す正面図である。
【図５】枝を進入口に進入させた状態を示す正面図である。
【図６】かく乱剤が巻き付けられた枝を進入口から出した状態を示す正面図である。
【図７】巻き付け手段の他の形状例を示す説明図である。
【符号の説明】
【００２７】
１０  紐状体取付装置
２０  支持棹
３０  ヘッド部
３１   進入口
３２  紐状体保持部
３３  保持管
３３ａ  開口部
３５  バネ
３６  ストッパ
３８  作動棒
４０  締結部
４６  ハンドル
４８   巻き付け手段
Ｂ  枝
Ｋ  かく乱剤
Ｚ  紐状体
【図１】
2005137222.tif 000003
【図２】
2005137222.tif 000004
【図３】
2005137222.tif 000005
【図４】
2005137222.tif 000006
【図５】
2005137222.tif 000007
【図６】
2005137222.tif 000008
【図７】
2005137222.tif 000009